(57)【要約】      （修正有）【課題】図柄が立体的に見える色素増感太陽電池モジュールの提供。【解決手段】第１透明電極層１、第１色素担持半導体層２が順に形成された第１透明基板３と、第２透明電極層４が形成され、第２透明電極層４と第１色素担持半導体層２が対向配置された第２透明基板５と、第２透明電極層４と第１色素担持半導体層２間に配置された第１電解質層６を有する第１セル３０と、第３透明電極層１２、第２色素担持半導体層が１３順に形成され、第２色素担持半導体層１３が第１色素担持半導体層２と重ならない領域に少なくとも形成された第３透明基板９と、第４透明電極層１４が形成され、第４透明電極層１４と第２色素担持半導体層１３が対向するように配置された第４透明基板１０と、第４透明電極層１４と第２色素担持半導体層１３間に配置された第２電解質層１１を有する、第１セル３０の下に配置された第２セル４０とを備えた、色素増感太陽電池モジュール５０である。【選択図】図１
2015211177.tif 000002
【特許請求の範囲】
【請求項１】
第１透明電極層、第１色素担持半導体層が順に形成された第１透明基板と、第２透明電極層が形成され、その第２透明電極層と前記第１色素担持半導体層が対向するように配置された第２透明基板と、前記第２透明電極層と前記第１色素担持半導体層との間に配置された第１電解質層とを有する第１セルと、
第３透明電極層、第２色素担持半導体層が順に形成され、その第２色素担持半導体層が前記第１色素担持半導体層と重ならない領域に少なくとも形成された第３透明基板と、第４透明電極層が形成され、その第４透明電極層と前記第２色素担持半導体層が対向するように配置された第４透明基板と、前記第４透明電極層と前記第２色素担持半導体層との間に配置された第２電解質層とを有する、前記第１セルの下に配置された第２セルとを備えた、色素増感太陽電池モジュール。
【請求項２】
一方面に、第１透明電極層、第１色素担持半導体層が順に形成され、他方面に、第２透明電極層、第２色素担持半導体層が順に形成され、その第２色素担持半導体層が前記第１色素担持半導体層と重ならない領域に少なくとも形成された中間透明基板と、
第３透明電極層が形成され、その第３透明電極層と前記第１色素担持半導体層が対向するように配置された第１透明基板と、
第４透明電極層が形成され、その第４透明電極層と前記第２色素担持半導体層が対向するように配置された第２透明基板と、
前記第３透明電極層と前記第１色素担持半導体層との間に配置された第１電解質層と、
前記第４透明電極層と前記第２色素担持半導体層との間に配置された第２電解質層とを備えた、色素増感太陽電池モジュール。
【請求項３】
前記第１色素担持半導体層及び前記第２色素担持半導体層のうちの少なくとも１つは、複数の色からなる図柄により構成された、請求項１又は請求項２に記載の色素増感太陽電池モジュール。
【請求項４】
請求項１から請求項３のいずれかに記載の色素増感太陽電池モジュールと、
前記色素増感太陽電池モジュールの下に配置された導光板と、
前記色素増感太陽電池モジュールの周囲に配置された開放端から進入した光を、前記導光板に接続された、又は近接して配置された接続端を介して前記導光板に供給し、前記導光板を発光させる光ファイバとを備えた、色素増感太陽電池ユニット。
【請求項５】
前記色素増感太陽電池モジュールにより発生した電力を蓄える蓄電池と、
前記蓄電池から供給される電力により、前記導光板を発光させるとともに前記接続端を介して前記開放端に光を供給する光源とを更に備えた、請求項４に記載の色素増感太陽電池ユニット。
【請求項６】
前記導光板の下に配置された反射板を更に備えた、請求項４又は請求項５に記載の色素増感太陽電池ユニット。
【請求項７】
前記開放端の上に配置された集光レンズを更に備えた、請求項４から請求項６のいずれかに記載の色素増感太陽電池ユニット。
【発明の詳細な説明】
【技術分野】
【０００１】
本発明は、色素増感太陽電池モジュールに関し、特に立体感のある図柄を備えた色素増感太陽電池モジュールに関する。
【背景技術】
【０００２】
太陽光発電は、太陽からの光を半導体素子である太陽電池セルに照射により電子を放出させ、その電子を外部回路に取り出して電力を得るもので、二酸化炭素などの排出ガスを発生しないクリーンな発電方法である。このような理由から、近年多方面への適用が進みつつある。
【０００３】
太陽電池セルには、一方の面のみで受光して発電する片面発電型太陽電池セルと、両面で受光して発電する両面発電型太陽電池セルが知られている。そして、色素増感太陽電池は両面で受光して発電する両面発電型太陽電池セルとして知られている。
【０００４】
従来、発光面に図柄を備えた色素増感太陽電池はすでに製品化されており実用化されているが、２枚の透明基板を貼り合せた平面に作製されたモジュールである（例えば、特許文献１参照）。
そのなかで、色素増感太陽電池セルの表面の表示部分を背面から照らすために、昼時にセルにて発電された電力を内部の蓄電池に蓄え、その蓄電力にて夜間、底部に配置されたＬＥＤ素子等が発光して色素増感太陽電池セルの表示部分に表現された図柄を照らす方式で行われている。
【先行技術文献】
【特許文献】
【０００５】
【特許文献１】特許５４１０２５８号公報
【発明の概要】
【発明が解決しようとする課題】
【０００６】
しかし、その図柄による意匠効果は平面的であり、立体感を備えてはいなかった。
【０００７】
本発明は、上記課題を鑑みてなされたもので、図柄が立体的に見える色素増感太陽電池モジュールの提供を目的とする。
【課題を解決するための手段】
【０００８】
上記の目的を達成するために、第１の発明は、第１透明電極層、第１色素担持半導体層が順に形成された第１透明基板と、第２透明電極層が形成され、その第２透明電極層と第１色素担持半導体層が対向するように配置された第２透明基板と、第２透明電極層と第１色素担持半導体層との間に配置された第１電解質層とを有する第１セルと、第３透明電極層、第２色素担持半導体層が順に形成され、その第２色素担持半導体層が第１色素担持半導体層と重ならない領域に少なくとも形成された第３透明基板と、第４透明電極層が形成され、その第４透明電極層と第２色素担持半導体層が対向するように配置された第４透明基板と、第４透明電極層と第２色素担持半導体層との間に配置された第２電解質層とを有する、第１セルの下に配置された第２セルとを備えた、色素増感太陽電池モジュールである。
【０００９】
このように構成すると、色素担持半導体層が上下のセルに分かれて異なる高さに配置されることにより視差が生じる。よって、立体感のある意匠を備えた色素増感太陽電池モジュールを提供することができる。
【００１０】
第２の発明は、一方面に、第１透明電極層、第１色素担持半導体層が順に形成され、他方面に、第２透明電極層、第２色素担持半導体層が順に形成され、その第２色素担持半導体層が第１色素担持半導体層と重ならない領域に少なくとも形成された中間透明基板と、  第３透明電極層が形成され、その第３透明電極層と第１色素担持半導体層が対向するように配置された第１透明基板と、第４透明電極層が形成され、その第４透明電極層と第２色素担持半導体層が対向するように配置された第２透明基板と、第３透明電極層と第１色素担持半導体層との間に配置された第１電解質層と、第４透明電極層と第２色素担持半導体層との間に配置された第２電解質層とを備えた、色素増感太陽電池モジュールである。
【００１１】
このように構成すると、部材が少なくなり、より生産工程が簡略化される。
【００１２】
第３の発明は、第１又は第２の発明の構成において、第１色素担持半導体層及び第２色素担持半導体層のうちの少なくとも１つは、複数の色からなる図柄により構成された色素増感太陽電池モジュールである。
【００１３】
このように構成すると、色素増感太陽電池モジュールの意匠性をより向上させることができる。
【００１４】
第４の発明は、第１から第３のいずれかの発明の構成における色素増感太陽電池モジュールと、色素増感太陽電池モジュールの下に配置された導光板と、色素増感太陽電池モジュールの周囲に配置された開放端から進入した光を、導光板に接続された、又は近接して配置された接続端を介して導光板に供給し、導光板を発光させる光ファイバとを備えた、色素増感太陽電池ユニットである。
【００１５】
このように構成すると、導光板が発光することにより、第２セルの下から光が照射される。よって、より発電効率が向上する。
【００１６】
第５の発明は、色素増感太陽電池モジュールにより発生した電力を蓄える蓄電池と、蓄電池から供給される電力により、導光板を発光させるとともに接続端を介して開放端に光を供給する光源とを更に備えた、第４の発明の構成における色素増感太陽電池ユニットである。
【００１７】
このように構成すると、日中に蓄えられた電力を光源に供給し、色素増感太陽電池モジュールとその周囲の光ファイバを発光させることにより、夜間には照明の役割を持たせることができる。
【００１８】
第６の発明は、光板の下に配置された反射板を更に備えた、第４又は第５の発明の構成における色素増感太陽電池ユニットである。
【００１９】
このように構成すると、導光板に供給された光を反射板で反射することで、より多くの光を第２セルに照射することができ、発電効率が向上する。
【００２０】
第７の発明は、開放端の上に配置された集光レンズを更に備えた、第４から第６のいずれかの発明の構成における色素増感太陽電池ユニットである。
【００２１】
このように構成すると、より多くの光を光ファイバに進入させることができ、発電効率が向上する。
【発明の効果】
【００２２】
本発明によれば、色素担持半導体層が上下のセルに分かれて異なる高さに配置されることにより視差が生じる。よって、立体感のある意匠を備えた色素増感太陽電池モジュール及び色素増感太陽電池ユニットを提供することができる。
【図面の簡単な説明】
【００２３】
【図１】本発明の第１実施形態に係る色素増感太陽電池ユニットの概略構成を示した断面図である。
【図２】本発明の第２実施形態に係る色素増感太陽電池ユニットの概略構成を示した断面図である。
【図３】色素増感太陽電池ユニットの概略構成を示した平面図である。
【図４】色素増感太陽電池モジュールの製造工程を示した図である。
【図５】色素増感太陽電池モジュールの製造工程を示した図である。
【図６】色素増感太陽電池モジュールの製造工程を示した図である。
【発明を実施するための形態】
【００２４】
次に、発明の実施の形態について図を参照しながら説明する。
【００２５】
[第１実施形態]
図１を参照して、本発明の第１実施形態に係る色素増感太陽電池ユニット１００は、色素増感太陽電池モジュール５０と、導光板５１と、光ファイバ５２と、蓄電池５３と、光源５４と、反射板５５と、集光レンズ５６とを備えている。
【００２６】
（１）色素増感太陽電池モジュール
色素増感太陽電池モジュール５０は、第１セル３０と、その下に配置された第２セル４０とを備える。
【００２７】
第１セル３０は、第１透明基板３と、第１透明基板３に対向する第２透明基板５と、それらの間に配置された第１電解質層６と、第１透明基板３と第２透明基板５とが対向する領域を塞ぐように配置された封止材７とを備えている。第１透明基板３の下には、第１透明電極層１と、光照射により増感色素から生じた電荷を伝導する第１色素担持半導体層２が順に形成されている。第２透明基板５の上には、第２透明電極層４と、第１電解質層６への電子供給を促進させる白金膜８が順に形成されている。第１透明基板３と第２透明基板５とは、第１透明基板３に形成された第１色素担持半導体層２と、第２透明基板５に形成された第２透明電極層４とが対向するように配置されており、それらの間には第１電解質層６が配置されている。
【００２８】
第２セル４０は、第３透明基板９と、第３透明基板９に対向する第４透明基板１０と、それらの間に配置された第２電解質層１１と、第３透明基板９と第４透明基板１０とが対向する領域を塞ぐように配置された封止材７とを備えている。第３透明基板９の下には、第３透明電極層１２と、光照射により増感色素から生じた電荷を伝導する第２色素担持半導体層１３が順に形成されている。第４透明基板１０の上には、第４透明電極層１４と、第２電解質層１１への電子供給を促進させる白金膜８が順に形成されている。第２セル４０には、そのような第３透明基板９と第４透明基板１０と第２電解質層１１と封止材７とが２組形成されており、それぞれの第２色素担持半導体層１３は、第１色素担持半導体層２と重ならない領域に形成されている。
【００２９】
図３を参照して、色素増感太陽電池ユニット１００は、富士山の図柄が描かれている。第１セル３０に形成された第１色素担持半導体層２によって、富士山本体１６と冠雪１５が描かれている。また、第２セル４０に形成された第２色素担持半導体層１３によって、背景１７と土壌１８が描かれている。富士山本体１６、冠雪１５、背景１７、土壌１８はそれぞれ異なる色で形成されている。色素増感太陽電池ユニット１００を平面から見たとき、富士山本体１６と冠雪１５とが前面に、背景１７と土壌１８とが後面に配置される。それにより、視差が生じ富士山本体１６と冠雪１５が立体的に浮き出て見える。
【００３０】
次に、第１セル３０及び第２セル４０を構成する各部材について説明する。
【００３１】
第１透明基板３、第２透明基板５、第３透明基板９及び第４透明基板１０は、太陽光の受光を阻害しない材料であることが望ましく、例えば、ポリメチルメタクリレート、ポリカーボネート、ポリスチレン、ポリエチレンサルファイド、ポリエーテルスルホン、ポリオレフィン、ポリエチレンテレフタレート、ポリエチレンナフタレート、トリアセチルセルロース、ポリビニルフルオライドフィルム、エチレン-テトラフルオロエチレン共重合樹脂、耐候性ポリエチレンテレフタレート、耐候性ポリプロピレン、ガラス繊維強化アクリル樹脂フィルム、ガラス繊維強化ポリカーボネート、ポリイミド、透明性ポリイミド、フッ素系樹脂、環状ポリオレフィン系樹脂、ポリアクリル系樹脂、ガラスなどを使用することができる。また、上記材料の基材を二種類以上積層した複合基板として使用してもよい。
【００３２】
第１透明電極層１、第２透明電極層４、第３透明電極層１２及び第４透明電極層１４の材料としては、例えば酸化スズ、酸化亜鉛、酸化インジウム等が好適に使用される。また必要に応じてこれらの材料にドーピングを施すこともできる。この透明導電膜の形成方法としては、例えば、蒸着法、スパッタ法、減圧ＣＶＤ（Ｃｈｅｍｉｃａｌ  Ｖａｐｏｒ  Ｄｅｐｏｓｉｔｉｏｎ）法、常圧ＣＶＤ法、ゾルゲル法、熱分解スプレー法、電析法などが挙げられる。
【００３３】
また、透明導電膜をエッチングすることによって、光を閉じこめし易いような凹凸を形成することもできる。この場合、エッチャントの種類、濃度、またはエッチング時間等を適宜変更することにより、透明導電性の材料の表面形状を容易に制御できるので、所望の凹凸が容易に得られる。
【００３４】
第１色素担持半導体層２及び第２色素担持半導体層１３は、金属酸化物の微粒子に増感色素が担持されて形成される。金属酸化物の微粒子は、増感色素が担持されることから、連通孔を有する多孔質であることが好ましい。第１色素担持半導体層２及び第２色素担持半導体層１３の材料としては、例えば、酸化チタン、酸化ニオブ、酸化スズ、酸化亜鉛、酸化タングステン、チタン酸バリウム、硫化カドミウムなどが用いられ、またこれらを組み合わせて用いることもできる。
【００３５】
第１色素担持半導体層２及び第２色素担持半導体層１３を第１透明電極層１及び第３透明電極層１２上にパターン形成する方法としては、例えば、半導体微粒子または繊維の分散液またはコロイド溶液を塗布し乾燥、焼成する方法等が挙げられる。第１色素担持半導体層２及び第２色素担持半導体層１３の膜厚は、１〜３０μｍの範囲が好ましく、３〜２０μｍの範囲がより好ましい。
【００３６】
第１色素担持半導体層２及び第２色素担持半導体層１３に担持させる色素としては、金属錯体色素または有機色素が使用可能であり、金属錯体色素では、ルテニウム系色素が最も好ましく、特にルテニウム錯体であるルテニウムビピリジン色素およびルテニウムターピリジン色素が挙げられ、有機色素としてはアクリジン系、アゾ系、インジゴ系、キノン系、クマリン系、メロシアニン系、フェニルキサンテン系の色素が挙げられるがこれらに限定されるものではない。該色素は半導体表面に対する適当は結合基を有していることが好ましく、特に好ましい結合基としては、ＣＯＯＨ基、シアノ基、ＰＯ３ Ｈ２ 基、キレート化基が挙げられる。中でもＣＯＯＨ基、ＰＯ３ Ｈ２ 基が好ましい。
【００３７】
第１色素担持半導体層２及び第２色素担持半導体層１３に色素を担持させるには、例えば、色素の溶液を半導体微粒子層に塗布する方法等が挙げられる。色素を溶解する溶媒として、例えば、アルコール類、ニトリル類、ニトロメタン、ハロゲン化炭化水素、エーテル類、ジメチルスルホキシド、アミド類、Ｎ−メチルピロリドン、１、３−ジメチルイミダゾリジノン、３−メチルオキサゾリジノン、エステル類、炭酸エステル類、ケトン類、炭化水素類やこれらの混合溶媒が挙げられる。
【００３８】
第１電解質層６及び第２電解質層１１の材料としては、一般に色素増感太陽電池において使用することのできるものであれば、特に限定されないが、酸化還元性のものが好ましく、例えばＬｉＩ、ＮａＩ、ＫＩ、ＣａＩ２ 等の金属ヨウ化物とヨウ素の組み合わせおよびＬｉＢｒ、ＮａＢｒ、ＫＢｒ、ＣａＢｒ２ 等の金属臭化物と臭素の組み合わせがある。その中でも特にＬｉＩとヨウ素の組み合わせが最も好ましい。この電解質は溶媒に溶解した形態（例えば、酸化還元性電解液）で用いられる。
【００３９】
次に、第１セル３０の製造方法について説明する。
【００４０】
図４（ａ）を参照して、まず、第１透明基板３に第１透明電極層１を形成し、その上に多孔質酸化物半導体１６を形成する。多孔質酸化物半導体１６は、膜内の粒子または繊維同士を電気的にコンタクトさせ、また好ましい結晶構造を持たせるために、膜作成後に焼成することが望ましい。焼成温度は５０〜６００℃が好ましい。
次に、図４（ｂ）を参照して、その多孔質酸化物半導体１６に色素を担持させ、第１色素担持半導体層２を得る。
次に、図４（ｃ）を参照して、第１色素担持半導体層２が形成されていない部分に、さらに多孔質酸化物半導体１６を形成する。この多孔質酸化物半導体１６を焼成する温度は、５０℃〜図４（ｂ）の工程で担持させた色素が分解しない温度の範囲が特に好ましい。
図４（ｄ）を参照して、その多孔質酸化物半導体１６に図４（ｂ）の工程で担持させた色素とは異なる色の色素を担持させ、第１色素担持半導体層２を得る。
このようにして、異なる色を備える第１色素担持半導体層２を形成することにより、所望の文字、記号または図形などからなる図柄を形成することができる。第１色素担持半導体層２は、異なる色の色素を吸着させることで異なる色を表現することができる。また、同じ色の色素が吸着したものであってもよく、たとえば酸化チタン等が、載せる粒子の厚みまたは粒子の粒子径の差異により、吸着量が異なることによって互いに濃淡差があるものでもよい。
【００４１】
次に、図５を参照して、第２透明基板５に第２透明電極層４を形成し、その上に白金膜８を形成する。
次に、図６を参照して、第１色素担持半導体層２と第２透明電極層４とを対向させ、封止材７で囲んだ状態で、第１色素担持半導体層２と第２透明電極層４との間に第１電解質層６を充填させる。このようにして第１セル３０が得られる。
【００４２】
第２セル４０の製造方法について、第１セル３０と重複する部分については省略して、説明する。第２セル４０の第２色素担持半導体層１３は、第１セル３０の第１色素担持半導体層２と重ならない領域に形成する。第２色素担持半導体層１３は、封止材７で封止することにより、離れた２か所に配置されている。
【００４３】
上記のような第１セル３０と第２セル４０とを積層することにより、色素増感太陽電池モジュール５０が得られる。
【００４４】
（２）色素増感太陽電池ユニット
図１を参照して、色素増感太陽電池ユニット１００は、色素増感太陽電池モジュール５０と、導光板５１と、光ファイバ５２と、蓄電池５３と、光源５４と、反射板５５と、集光レンズ５６とが、カバーガラス５８と筐体５７により覆われ一体化されている。
【００４５】
導光板５１は、透過性の材料からなる板状のものであり、色素増感太陽電池モジュール５０の下に配置されている。導光板５１の下面には、凹凸が形成されている。光ファイバ５２は、色素増感太陽電池モジュール５０の周囲に配置された開放端と、導光板５１に接続された接続端とを備え、色素増感太陽電池モジュール５０を囲むように配置されている。光ファイバ５２の開放端の上には、集光レンズ５６が配置されている。反射板５５は、導光板５１の下に配置されている。
【００４６】
日照時には、集光レンズ５６によって集められた太陽光が、光ファイバ５２内に入射し、導光板５１の側面に照射される。導光板５１の下にはさらに、反射板５５が配置されている。導光板５１の側面に照射された太陽光は、導光板５１の凹凸及び反射板５５により反射され、第２セル４０全体に照射される。それにより、太陽光の届きにくい第２セル４０にも光を照射することができ、色素増感太陽電池モジュール５０の発電効率が向上する。
【００４７】
蓄電池５３は、色素増感太陽電池ユニット１００の底部に配置され、日中に生成された電力を蓄える。光源５４は、導光板５１の周囲に配置されており、例えば、発光ＬＥＤ等を用いることができる。日中に蓄電池５３に蓄えられた電力を、夜間に光源５４に供給することで、色素増感太陽電池モジュール５０を下から照らす。色素増感太陽電池ユニット１００に、例えば照度センサを設けておくことにより、所定の照度以下になると蓄電された電力を光源５４に供給するよう設定することができる。また、光源５４から出た光が、導光板５１を介して光ファイバ５２を伝い、色素増感太陽電池モジュール５０の周囲も照らす。上記の通り、色素増感太陽電池ユニット１００は夜間には照明の役割も果たす。
【００４８】
[第２実施形態]
図２を参照して、本発明の第２実施形態にかかる色素増感太陽電池ユニット２００は、色素増感太陽電池モジュール６０と、導光板５１と、光ファイバ５２と、蓄電池５３と、光源５４と、反射板５５とを備えている。ここでは、第１実施形態と重複する部分については説明を省略し、異なる部分についてのみ説明する。
【００４９】
（１）色素増感太陽モジュール
色素増感太陽モジュール６０は、第１透明基板７７と、第１透明基板７７に対向するように配置された中間透明基板７５と、それらの間に配置された第１電解質層８０と、第１透明基板７７と中間透明基板７５が対向する領域を塞ぐように配置された封止材８２と、中間透明基板７５の第１透明基板７７とは反対側の面に対向するように配置された第２透明基板７９と、中間透明基板７５と第２透明基板７９との間に配置された第２電解質層８１と、中間透明基板７５と第２透明基板７９とが対向する領域を塞ぐように配置された封止材８２とを備える。
【００５０】
中間透明基板７５の上面には、第１透明電極層７１と、光照射により増感色素から生じた電荷を伝導する第１色素担持半導体層７２とが順に形成されている。第１透明基板７７の下には第３透明電極層７６と第１電解質層８０への電子供給を促進させる白金膜８３が順に形成されている。第１透明基板７７と中間透明基板７５とは、第３透明電極層７６と第１色素担持半導体層７２とが対向するように配置されており、それらの間に第１電解質層８０が配置されている。
中間透明基板７５の下面には、第２透明電極層７３と、光照射により増感色素から生じた電荷を伝導する第２色素担持半導体層７４とが順に形成されている。第２色素担持半導体層７４は、第１色素担持半導体層７２と重ならない領域に形成されている。第２透明基板７９の上には、第４透明電極層７８と、第２電解質層８１への電子供給を促進させる白金膜８３が形成されている。中間透明基板７５と第２透明基板７９とは、第４透明電極層７８と第２色素担持半導体層７４とが対向するように配置されており、それらの間に第２電解質層８１が配置されている。上記のように、中間透明基板７５は、その一方面に第１透明電極層７１及び第１色素担持半導体層７２が、他の一方面に第２透明電極層７３及び第２色素担持半導体層７４が形成されている。そのため、部材が少なくなり、より生産工程が簡略化される。
【００５１】
第１色素担持半導体層７２及び第２色素担持半導体層７４は、第１実施形態の第１色素担持半導体層２及び第２色素担持半導体層１３と同様の材料を用い、同様の方法で製造することができる。
【００５２】
なお、第１実施形態の色素増感太陽電池モジュール５０及び第２実施形態の色素増感太陽電池モジュール６０では白金膜８及び白金膜８３が形成されていたが、必ずしも形成されなくても良い。また、第１色素担持半導体層２及び第２色素担持半導体層１３の配置について、少なくとも互いに重ならない領域に形成されていれば、重なる領域に形成されていても良く、形成される位置や数、面積についても特に限定されない。また、光ファイバ５２は、所望の集光量に応じた数を配置すればよい。集光レンズ５６は、必ずしも備えられなくても良い。
【符号の説明】
【００５３】
１            第１透明電極層
２            第１色素担持半導体層
３            第１透明基板
４            第２透明電極層
５            第２透明基板
６            第１電解質層
７            封止材
８            白金膜
９            第３透明基板
１０          第４透明基板
１１          第２電解質層
１２          第３透明電極層
１３          第２色素担持半導体層
１４          第４透明電極層
３０          第１セル
４０          第２セル
５０          色素増感太陽電池モジュール
５１          導光板
５２          光ファイバ
５３          蓄電池
５４          光源
５５          反射板
５６          集光レンズ
５７          筐体
５８          カバーガラス
６０          色素増感太陽電池モジュール
７１          第１透明電極層
７２          第１色素担持半導体層
７３          第２透明電極層
７４          第２色素担持半導体層
７５          中間透明基板
７６          第３透明電極層
７７          第１透明基板
７８          第４透明電極層
７９          第２透明基板
８０          第１電解質層
８１          第２電解質層
８２          封止材
８３          白金膜
１００        色素増感太陽電池ユニット
２００        色素増感太陽電池ユニット
【図１】
2015211177.tif 000003
【図２】
2015211177.tif 000004
【図３】
2015211177.tif 000005
【図４】
2015211177.tif 000006
【図５】
2015211177.tif 000007
【図６】
2015211177.tif 000008